(57)【要約】【課題】各通信端末が音響処理部を一つしか備えない場合であっても、議事録の作成と、参加者に聞き取りやすい音声出力と、を両立できるようにする通信端末及び会議システムを提供する。【解決手段】会議端末１５は、会議端末１４１との連結を検出すると、接続先を議事録サーバ１３に切り替える。会議端末１５は、受信した音声を用いて議事録を作成する議事録サーバ１３と接続可能である。会議端末１５のＤＳＰ２５Ｂは、マイク２３に入力された自拠点の参加者の発話である第１の音声と、他の会議端末１４１のスピーカ２４から出力されてマイク２３に入力された他拠点の参加者の発話である第２の音声と、に対して議事録作成用の音響処理を実行する。会議端末１５は、ＤＳＰ２５Ｂによって音響処理が実行された後の第１の音声と第２の音声とを議事録サーバ１３に送信する。【選択図】図１
2019176386.tif 000002
【特許請求の範囲】
【請求項１】
複数の通信端末間の少なくとも音声を中継する会議サーバと、前記音声を用いて議事録を作成する議事録サーバと接続可能な通信端末において、
他の通信端末との連結を検出する検出部と、
前記検出部によって前記連結が検出されていない場合、接続先を前記会議サーバに設定し、前記検出部によって前記連結が検出された場合、接続先を前記議事録サーバに設定する接続先設定部と、
マイクと、
前記マイクに入力された自拠点の参加者の発話である第１の音声と、前記他の通信端末が備えるスピーカから出力されて前記マイクに入力された他拠点の参加者の発話である第２の音声と、に対して、前記接続先が前記議事録サーバに設定されている場合、議事録作成用の音響処理を実行し、前記接続先が前記会議サーバに設定されている場合、会議用の音響処理を実行する音響処理部と、
前記音響処理部によって前記議事録作成用の音響処理もしくは前記会議用の音響処理が実行された後の前記第１の音声と前記第２の音声とを前記接続先が前記議事録サーバに設定されている場合、前記議事録サーバに送信し、前記接続先が前記会議サーバに設定されている場合、前記会議サーバに送信する送信部と、を備えることを特徴とする通信端末。
【請求項２】
前記会議用の音響処理は、前記マイクに入力された音声から前記第２の音声を除去するエコーキャンセラを含み、
前記議事録作成用の音響処理は、前記エコーキャンセラを含まないことを特徴とする請求項１に記載の通信端末。
【請求項３】
前記会議用の音響処理及び前記議事録作成用の音響処理は、周辺ノイズを除去するイズサプレッサーを含み、
前記議事録作成用のノイズサプレッサーと、前記会議用のノイズサプレッサーと、は除去効果が異なるように設定されていることを特徴とする請求項１又は２に記載の通信端末。
【請求項４】
前記会議サーバと、
前記議事録サーバと、
前記議事録サーバに接続する請求項１に記載の通信端末と、
前記会議サーバに接続する前記通信端末と同じ拠点に配置された他の通信端末と、
前記会議サーバを介して前記他の通信端末と音声を送受信する他拠点に配置された通信端末と、を備えたことを特徴とする会議システム。
【発明の詳細な説明】
【技術分野】
【０００１】
本発明は、通信端末及び会議システムに関する。
【背景技術】
【０００２】
近年、インターネット等の通信ネットワークを介して遠隔地間で会議を行う会議システムが普及している。
【０００３】
この会議システムでは、互いに遠隔地にある複数の会議室に通信端末を設置する。通信端末は各々、会議の当事者などの会議室の画像および発言などの音声を撮影および収集する。そして、通信端末は各々、撮影および収集した画像および音声をデジタルデータに変換して、他の会議室に設定された他の通信端末に送信する。また、通信端末は、他の通信端末から画像や音声を受信すると、ディスプレイに画像表示およびスピーカに音声出力する。これにより、実際の会議に近い状態で遠隔地間の会議を行う技術が既に知られている。
【０００４】
また、通信端末が、収集した音声を音声認識エンジンに送信し、音声認識エンジンが、当事者などの発言内容を自動でテキスト化し、議事録を自動生成する技術が既に知られている。
【０００５】
上記技術の一例として特許文献１の会議システムが挙げられる。特許文献１の会議システムでは、複数の会議端末（通信端末）各々が、自身が設置されている会議室（自拠点）の音声を録画サーバ（音声認識エンジン）に送信し、録画サーバが各会議端末から受信した音声を時系列に合成して議事録を作成している。
【発明の概要】
【発明が解決しようとする課題】
【０００６】
しかしながら、音声認識エンジン（機械）が認識しやすいノイズ除去処理などの音響処理と、遠隔会議の対向拠点の人が聴き取りやすい（自然な）音響処理と、は異なる。このため、通信端末では、議事録作成用と、会議用と、で２種類の異なる音響処理を行う必要があるため、音声処理チップが２つ必要になってしまいコストアップとなってしまうという問題があった。
【０００７】
本発明は、以上の背景に鑑みてなされたものであり、各通信端末が音響処理部を一つしか備えない場合であっても、議事録の作成と、参加者に聞き取りやすい音声出力と、を両立できるようにする通信端末及び会議システムを提供することを目的としている。
【課題を解決するための手段】
【０００８】
上述した課題を解決するためになされた請求項１記載の発明は、複数の通信端末間の少なくとも音声を中継する会議サーバと、前記音声を用いて議事録を作成する議事録サーバと接続可能な通信端末において、他の通信端末との連結を検出する検出部と、前記検出部によって前記連結が検出されていない場合、接続先を前記会議サーバに設定し、前記検出部によって前記連結が検出された場合、接続先を前記議事録サーバに設定する接続先設定部と、マイクと、前記マイクに入力された自拠点の参加者の発話である第１の音声と、前記他の通信端末が備えるスピーカから出力されて前記マイクに入力された他拠点の参加者の発話である第２の音声と、に対して、前記接続先が前記議事録サーバに設定されている場合、議事録作成用の音響処理を実行し、前記接続先が前記会議サーバに設定されている場合、会議用の音響処理を実行する音響処理部と、前記音響処理部によって前記議事録作成用の音響処理もしくは前記会議用の音響処理が実行された後の前記第１の音声と前記第２の音声とを前記接続先が前記議事録サーバに設定されている場合、前記議事録サーバに送信し、前記接続先が前記会議サーバに設定されている場合、前記会議サーバに送信する送信部と、を備えることを特徴とする。
【発明の効果】
【０００９】
以上説明したように請求項１記載の発明によれば、各拠点の通信端末が音響処理部を一つしか備えない場合であっても、議事録の作成と、参加者に聞き取りやすい音声出力と、を両立できる。
【図面の簡単な説明】
【００１０】
【図１】本発明の通信端末としての会議端末を組み込んだ会議システムの一実施形態を示す図である。
【図２】図１に示す会議端末の機能ブロック図である。
【図３】図１に示す会議端末の外観図である。
【図４】図１に示す会議端末の処理手順を示すフローチャートである。
【図５】図１に示す会議端末の処理手順を示すフローチャートである。
【発明を実施するための形態】
【００１１】
以下、本発明の一実施形態を、図面に基づいて説明する。
【００１２】
まず、会議システムの構成について図１を参照して説明する。同図に示すように会議システム１は、会議予約サーバ１１と、会議サーバ１２と、議事録サーバ１３と、これらサーバ１１〜１３とインターネットＮを経由して通信する複数の会議端末１４１〜１４ｎ、１５と、を備えている。
【００１３】
会議予約サーバ１１は、会議端末１４１〜１４ｎ、１５と通信を行い、会議端末１４１〜１４ｎ、１５から事前に会議情報（会議開催日時、会議参加者、役割、使用する会議端末等）が入力される。各会議端末１４１〜１４ｎ、１５は、起動時に会議予約サーバ１１に問い合わせを行い、該当する会議を見つけた場合、事前に設定した情報に基づいて会議の制御を行う。
【００１４】
会議サーバ１２は、複数の会議端末１４１〜１４ｎ間の音声、映像などを中継するサーバである。また、会議サーバ１２は、各会議端末１４１〜１４ｎが会議サーバ１２と接続しているか否かの状態モニタ、会議開始時に会議サーバ１２の呼び出し制御なども行う。
【００１５】
議事録サーバ１３は、音声認識エンジンなどから構成され、会議端末１５から受信した音声を例えばテキスト化して議事録を作成する。
【００１６】
複数の会議端末１４１〜１４ｎは各々、各拠点の会議室に配置して、会議サーバ１２と通信接続することにより、各会議室の映像や音声などを共有することができる。図１に示す例では、会議端末１４１〜１４ｎを各拠点に配置して、会議サーバ１２に接続させ、会議端末１５を複数の会議端末１４１〜１４ｎの１つである会議端末１４１に連結させて議事録サーバ１３に接続させている。
【００１７】
次に、会議端末１４１〜１４ｎ、１５の構成について図２及び図３を参照して説明する。
【００１８】
本実施形態の会議端末１４１〜１４ｎ、１５は各々、所謂インタラクティブ・ホワイトボードから構成されている。図２などに示すように会議端末１４１〜１４ｎ、１５は、カメラ２１と、タッチパネルディスプレイ２２と、マイク２３と、スピーカ２４と、ＣＰＵ２５と、記憶装置２６と、メモリ２７と、送信部としてのＬＡＮＩ／Ｆ部２８と、操作部２９と、検出部としての連結部３０と、を備えている。
【００１９】
カメラ２１は、周囲の映像を動画として取得し、ＣＰＵ２５に送信する機能を有する。カメラ２１は、図３に示すように、会議端末１４１〜１４ｎ、１５の特定の位置に固定して設置されている。このように会議端末１４１〜１４ｎ、１５にカメラ２１を設けることによって、カメラ２１によって撮影した各拠点の会議参加者の映像を複数の会議端末１４１〜１４ｎ、１５で共有することができる。なお、図３に示す例では、カメラ２１は１つしか設けられていないが、２つ以上設けて、発話者位置に応じて使用するカメラ２１を切り替えられるようにしてもよい。
【００２０】
タッチパネルディスプレイ２２は、ＣＰＵ２５から受信した映像を画面に表示する機能有する。タッチパネルディスプレイ２２は、ユーザが指もしくはペンで触れた位置を画面に表示したり、触れた位置の座標をＣＰＵ２５に送信する機能を有する。このように会議端末１４１〜１４ｎ、１５にタッチパネルディスプレイ２２を設けることにより、ユーザがペンもしくは指で筆記したデータを複数の会議端末１４１〜１４ｎ、１５で共有することができる。なお、タッチパネルディスプレイ２２としては、例えばディスプレイ一体型の静電容量方式タッチパネルが挙げられる。また、ディスプレイとしては、ＬＣＤや電子ペーパーディスプレイが挙げられる。
【００２１】
マイク２３は、会議参加者の音声を取得し、ＣＰＵ２５に送信する機能を有する。マイク２３は、会議端末１４１〜１４ｎ、１５の特定の位置に固定して設置されている。本実施形態では、マイク２３は、複数並べて配置されている。これにより、会議端末１４１〜１４ｎ、１５は、複数のマイク２３からの音声から発話者の方向を検出し、その方向以外からのノイズを除去する処理を行うことができる。このように会議端末１４１〜１４ｎ、１５にマイク２３を設けることにより、マイク２３によって得た各拠点の会議参加者の音声を複数の会議端末１４１〜１４ｎで、１５共有することができる。なお、図３に示す例では、マイク２３は複数設けられているが、１つだけ設けるようにしてもよい。
【００２２】
ＣＰＵ２５は、会議端末１４１〜１４ｎ、１５全体の制御を司る。ＣＰＵ２５は、ＣＯＤＥＣ２５Ａと、ＤＳＰ２５Ｂと、を有している。ＣＯＤＥＣ２５Ａは、カメラ２１、タッチパネルディスプレイ２２、マイク２３、から取得した映像、描画、音声をエンコードして、後述するＬＡＮＩ／Ｆ部２８に出力する。また、ＣＯＤＥＣ２５Ａは、ＬＡＮＩ／Ｆ部２８から受信した映像、描画、音声をデコードして、タッチパネルディスプレイ２２やスピーカ２４に出力する。このＣＯＤＥＣ２５Ａの一例として、ＶＰ８やＶＰ９、Ｈ．２６４／ＡＶＣ、Ｈ．２６４／ＳＶＣ、Ｈ．２６５がある。
【００２３】
音響処理部としてのＤＳＰ２５Ｂは、カメラ２１から取得した映像の映像処理や、マイク２３から取得した音声の音響処理を実行する。
【００２４】
スピーカ２４は、ＣＰＵ２５から受信した音声を出力する機能を有する。
【００２５】
記憶装置２６は、ＣＰＵ２５が行う機器制御、ビデオ会議制御等のプログラムの記憶を行う。例としてＤＤＲメモリのような揮発性のメモリが挙げられる。
【００２６】
ＬＡＮＩ／Ｆ部２８は、インターネットＮ等を経由して会議サーバ１２と接続し、画像・音声の送受信を行う。ＬＡＮＩ／Ｆ部２８は、10Base-T、100Base-Tに対応しEthernetに接続する有線ＬＡＮ、802.11a/b/g/n/acに対応した無線ＬＡＮが例として挙げられる。
【００２７】
操作部２９は、キーボードやボタン等を有し、ユーザが会議端末１４１〜１４ｎ、１５の機器制御を行うことができる。
【００２８】
連結部３０は、コネクタなどから構成され、他の会議端末１４１〜１４ｎ、１５と接続（連結）することができる。連結部３０は、他の会議端末１４１〜１４ｎ、１５の連結を検出し、検出結果をＣＰＵ２５に出力する。
【００２９】
上記構成の会議端末１４１〜１４ｎ、１５は、カメラ２１、マイク２３から取得した画像・音声を会議サーバ１２に送信する。会議サーバ１２は、受信した画像・音声を他の会議端末１４１〜１４ｎ、１５に対して送信する。
【００３０】
例えば会議端末１４１、１４２、１４３で会議を行った場合、会議端末１４１が送信したデータは会議サーバ１２を介して他の会議端末１４２、１４３に送信され、参加していない会議端末１４４〜１４ｎ、１５には送信されない。同様に会議端末１４２、１４３のデータは会議サーバ１２を介して参加している会議端末１４１〜１４３にはデータが送信され、会議に参加していない会議端末１４４〜１４ｎ、１５にはデータが送信されない。
【００３１】
上記のような制御を行うことで、複数の会議端末（多拠点）間で会議を行うことができる。
【００３２】
次に、上述した構成の会議システムの動作について図４及び図５のフローチャートを参照して以下説明する。まず、会議端末１４１〜１４ｎのＣＰＵ２５（以下、単に会議端末１４１〜１４ｎと略記する）は、電源がオンすると図４に示す処理を実行する。まず、会議端末１４１〜１４ｎは、ＤＳＰ２５Ｂが実行する音響処理やマイク２３、スピーカ２４の初期化設定を行う（ステップＳ１）。
【００３３】
その後、会議端末１４１〜１４ｎは、連結部３０が連結を検出したか否かを判定する（ステップＳ２）。会議端末１４１〜１４ｎは、連結部３０が連結を検出したと判定すると（ステップＳ２でＹ）、自身を端末１（メイン）として設定した後（ステップＳ３）、ステップＳ４に進む。一方、会議端末１４１〜１４ｎは、連結部３０が連結を検出していないと判定すると（ステップＳ２でＮ）、直ちにステップＳ４に進む。
【００３４】
ステップＳ４において会議端末１４１〜１４ｎは、スピーカ２４を通常の音量で出力するように設定する。また、ステップＳ４において会議端末１４１〜１４ｎは、スピーカ２４から出力されてマイク２３に入力された他拠点の参加者の発話である第２の音声を除去するエコーキャンセラをオンする。また、ステップＳ４において会議端末１４１〜１４ｎは、マイク２３に入力された音声から周辺ノイズを除去するノイズサプレッサーを会議用に設定する。
【００３５】
その後、ユーザが操作部２９を操作して会議を開始すると（ステップＳ５でＹ）、会議端末１４１〜１４ｎは会議サーバ１２に接続する（ステップＳ６）。これにより、会議端末１４１〜１４ｎは、マイク２３により入力された音声にステップＳ４で設定された音声処理を施した後、会議サーバ１２に送信する。また、会議端末１４１〜１４ｎは、会議サーバ１２を介して他の会議端末１４１〜１４ｎで取得した画像、音声を受信し、タッチパネルディスプレイ２２やスピーカ２４に出力する。
【００３６】
ステップＳ４ではエコーキャンセラをオンにしている。このため、ステップＳ６において会議端末１４１〜１４ｎは、マイク２３に入力された音声にエコーキャンセラを実行する。結果、会議端末１４１〜１４ｎは、スピーカ２４から出力されてマイク２３に入力された他拠点の参加者の発話である第２の音声を除去し、自拠点の参加者からマイク２３に直接入力された発話である第１の音声のみが会議サーバ１２に送信される。
【００３７】
ステップＳ４ではノイズサプレッサーも会議用に強めに設定されている。このため、ステップＳ６において会議端末１４１〜１４ｎは、スピーカ２４から出力されてマイク２３に入力された他拠点の参加者の発話をノイズとして除去するため、一層、第２の音声の除去効果を高めることができる。そして、他の会議端末１４１〜１４ｎは、エコーキャンセラや高い効果のノイズサプレッサが実行された音声を受信してスピーカ２４から出力するため、他拠点の参加者の発話が聴き取りやすくなる。
【００３８】
その後、会議が終了すると（ステップＳ７でＹ）、会議端末１４１〜１４ｎは、連結部３０が連結解除を検出したか否かを判定する（ステップＳ８）。
【００３９】
連結部３０が連結解除を検出したと判定すると（ステップＳ８でＹ）、会議端末１４１〜１４ｎは、ステップＳ１に戻る。一方、連結部３０が連結解除を検出していないと判定すると（ステップＳ８でＮ）、会議端末１４１〜１４ｎは、ステップＳ４に戻る。
【００４０】
一方、会議端末１５のＣＰＵ２５（以下、単に会議端末と略記する）は、電源がオンすると図５に示す処理を実行する。まず、会議端末１５は、ＤＳＰ２５Ｂが実行する音響処理やマイク２３、スピーカ２４の初期化設定を行う（ステップＳ１０）。
【００４１】
その後、会議端末１５は、連結部３０が連結を検出したか否かを判定する（ステップＳ１１）。会議端末１５は、連結部３０が連結を検出したと判定すると（ステップＳ１１でＹ）、自身を端末２（サブ）として設定した後（ステップＳ１２）、ステップＳ１３に進む。
【００４２】
ステップＳ１３において会議端末１５は、スピーカ２４から音声が出力されないようにミュートに設定する。ステップＳ１３において会議端末１５は、上記エコーキャンセラをオフする。また、ステップＳ１３において会議端末１５は、マイク２３に入力された音声から周辺ノイズを除去するノイズサプレッサーを議事録作成用に設定する。
【００４３】
その後、ユーザが操作部２９を操作して会議を開始すると（ステップＳ１４でＹ）、会議端末１５は、接続設定部として機能し、議事録サーバ１３に接続する（ステップＳ１５）。これにより、会議端末１５は、マイク２３により入力された音声にステップＳ１３で設定された音声処理を施した後、議事録サーバ１３に送信する。
【００４４】
ステップ１３ではエコーキャンセラをオフしている。このため、ステップＳ１５において会議端末１５は、マイク２３に入力された音声にエコーキャンセラを実行しない。結果、会議端末１５は、連結された会議端末１４１のスピーカ２４から出力されてマイク２３に入力された他拠点の参加者の発話である第２の音声が除去されず、自拠点の参加者からマイク２３に直接入力された発話である第１の音声と第２の音声とが議事録サーバ１３に送信される。
【００４５】
ステップＳ１３ではノイズサプレッサーも議事録作成用に弱めに設定されている。このため、ステップＳ１５において会議端末１５は、スピーカ２４から出力されてマイク２３に入力された他拠点の参加者の発話がノイズとして除去されることがない。これにより、一つの会議端末１５から、複数の会議端末１４１〜１４ｎにより取得した音声が議事録サーバ１３に出力される。
【００４６】
その後、会議が終了すると（ステップＳ１６でＹ）、会議端末１５は、連結部３０が連結解除を検出したか否かを判定する（ステップＳ１７）。
【００４７】
連結部３０が連結解除を検出したと判定すると（ステップＳ１７でＹ）、会議端末１５は、ステップＳ１に戻る。一方、連結部３０が連結解除を検出していないと判定すると（ステップＳ１７でＮ）、会議端末１５は、ステップＳ１３に戻り、音響処理の設定を保持する。
【００４８】
これに対して、会議端末１５は、連結部３０が連結を検出していないと判定すると（ステップＳ１１でＮ）、ステップＳ１８に進む。ステップＳ１８では、会議端末１５は、図４に示すステップＳ４と同様に、スピーカ２４を通常音量にし、エコーキャンセラをオンし、ノイズサプレッサーを会議用に設定する。
【００４９】
その後、会議が開始すると（ステップＳ１９でＹ）、会議端末１５は会議サーバ１２に接続する（ステップＳ２０）。これにより、会議端末１５は、他の会議端末１４１〜１４ｎと連結していないときは、他の会議端末１４１〜１４ｎと同様に画像やマイク２３により入力された自拠点の発話者の第１の音声のみを会議サーバ１２に送信する。
【００５０】
その後、会議が終了すると（ステップＳ２１でＹ）、会議端末１５は、連結部３０が連結解除を検出したか否かを判定する（ステップＳ２２）。
【００５１】
連結部３０が連結解除を検出したと判定すると（ステップＳ２２でＹ）、会議端末１５は、ステップＳ１に戻る。一方、連結部３０が連結解除を検出していないと判定すると（ステップＳ２２でＮ）、会議端末１５はステップＳ１８に戻り音響処理の設定を保持する。
【００５２】
上述した実施形態によれば、会議端末１５は、マイク２３に入力された自拠点の参加者の発話である第１の音声と、連結された他の会議端末１４１が備えたスピーカ２４から出力されてマイク２３に入力された他拠点の参加者の発話である第２の音声と、に対して議事録作成用の音響処理を実行する。そして、会議端末１５は、議事録作成用の音響処理が実行された後の第１の音声と第２の音声とを議事録サーバ１３に送信する。これにより、各拠点に配置された会議端末１４１〜１４ｎは、その拠点にいる発話者の音声を議事録サーバ１３に送信する必要がなく、議事録作成用の音響処理を実行する必要がない。よって、各拠点の会議端末１４１〜１４ｎの一つに当該会議端末１５を連結するだけで、各拠点の会議端末１４１〜１４ｎがＤＳＰ２５Ｂを一つしか備えない場合であっても、議事録の作成と、参加者に聞き取りやすい音声出力と、を両立できる。
【００５３】
また、上述した実施形態によれば、会議端末１５は、連結が検出されていない場合、接続先を会議サーバ１２に設定し、連結が検出された場合、接続先を議事録サーバ１３に設定している。また、会議端末１５は、送信先が議事録サーバ１３に設定されている場合、議事録作成用の音響処理を実行し、送信先が会議サーバ１２に設定されている場合、会議用の音響処理を実行する。これにより、会議端末１５は、他の会議端末１４１〜１４ｎと連結していないときは、他の会議端末１４１〜１４ｎと同様に画像やマイク２３により入力された自拠点の発話者の第１の音声のみを会議サーバ１２に送信する。
【００５４】
また、上述した実施形態によれば、会議用の音響処理は、マイク２３に入力された音声から第２の音声を除去するエコーキャンセラを含み、議事録作成用の音響処理は、エコーキャンセラを含まない。これにより、より精度よく、議事録の作成と、参加者に聞き取りやすい音声出力と、を両立できる。
【００５５】
また、上述した実施形態によれば、会議用の音響処理及び議事録作成用の音響処理は、周辺ノイズを除去するノイズサプレッサーを含み、議事録作成用のノイズサプレッサーと、会議用のノイズサプレッサーと、は除去効果が異なるように設定されている。これにより、より精度よく、議事録の作成と、参加者に聞き取りやすい音声出力と、を両立できる。
【００５６】
なお、上述した実施形態によれば、会議端末１５は、議事録作成用の音響処理と会議用の音響処理との間で切り替えることできるようにしていたが、これに限ったものではない。会議端末１５としては、議事録作成用の音響処理のみが行えるようなものであってもよい。
【００５７】
また、上述した実施形態によれば、会議端末１４１〜１４ｎは、会議用の音響処理のみ行っていたが、これに限ったものではない。会議端末１４１〜１４ｎは、会議端末１５と同様に、議事録作成用の音響処理と会議用の音響処理との間で切り替えることできるようにして、これら会議端末１４１〜１４ｎがどれでも議事録サーバ１３と接続する端末にできるようにしてもよい。
【００５８】
なお、本発明は上記実施形態に限定されるものではない。即ち、本発明の骨子を逸脱しない範囲で種々変形して実施することができる。
【符号の説明】
【００５９】
１２  会議サーバ
１３  議事録サーバ
１５  会議端末（通信端末）
２３  マイク
２４  スピーカ
２５  ＣＰＵ（接続設定部）
２５Ｂ  ＤＳＰ（音響処理部）
２８  送信部
３０  連結部（検出部）
１４１  会議端末（同じ拠点に配置された他の通信端末）
１４２〜１４ｎ  会議端末（他拠点に配置された通信端末）
【先行技術文献】
【特許文献】
【００６０】
【特許文献１】特開２０１３−１８３１８２号公報
【図１】
2019176386.tif 000003
【図２】
2019176386.tif 000004
【図３】
2019176386.tif 000005
【図４】
2019176386.tif 000006
【図５】
2019176386.tif 000007